【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ダウンリンク送信時間間隔(TTI)の物理ダウンリンク制御チャネル(PDCCH)を受信するステップと、
前記PDCCHのダウンリンク制御情報(DCI)ペイロードを介して、前記PDCCHが超低レイテンシ(ULL)または超高信頼低レイテンシ通信(URLLC)サービス用の第1のサービス構成を有するデータ通信を含むことを識別するステップと、
前記DCIペイロードのコンテンツ内で前記データ通信を受信するステップと
を含む、方法。
【請求項２】
同期ダウンリンク送信、同期アップリンク送信、または両方に少なくとも部分的に基づいて、前記ダウンリンクTTIのインデックスを識別するステップと、
前記識別されたインデックスに少なくとも部分的に基づいて、ハイブリッド自動再送要求(HARQ)プロセス識別子(ID)、冗長バージョン(RV)、新データインジケータ(NDI)、またはそれらの任意の組合せを判定するステップと
をさらに含む、請求項1に記載の方法。
【請求項３】
前記データ通信が周期的送信の中に含まれることを識別するステップであって、前記ダウンリンクTTIが、前記データ通信の初期送信に関連付けられる、ステップと、
前記ダウンリンクTTIのインデックスに少なくとも部分的に基づいて、前記初期送信のためのハイブリッド自動再送要求(HARQ)プロセス識別子(ID)および冗長バージョン(RV)を判定するステップと
をさらに含む、請求項1に記載の方法。
【請求項４】
前記PDCCHが前記データ通信を含むことを識別する前記ステップが、
前記DCIペイロードを含むDCIフォーマットに対する探索空間に関連するユーザ機器(UE)固有の無線ネットワーク一時識別子(RNT)を識別するステップであって、前記UE固有のRNTIが、第2のサービス構成を有する異なるデータ通信用の異なるDCIフォーマットに対する探索空間に関連する第2のRNTIとは異なる、ステップと、
前記識別されたUE固有のRNTIに少なくとも部分的に基づいて、前記DCIペイロードを含む前記探索空間の開始ロケーションを判定するステップと
を含み、
前記第2のサービス構成を有する前記異なるデータ通信が、前記第1のサービス構成に関連するしきい値レベルを超える遅延許容差を有するデータ通信を含む、請求項1に記載の方法。
【請求項５】
前記PDCCHが前記データ通信を含むことを識別する前記ステップが、
第2のサービス構成を有する異なるデータ通信用の異なるDCIフォーマットに関連する第2のDCIサイズまたは第2の誤り検査符号化長とは異なる前記DCIペイロードを含むDCIフォーマットの第1のDCIサイズまたは第1の誤り検査符号化長を判定するステップと、
前記判定された第1のDCIサイズまたは前記判定された第1の誤り検査符号化長に少なくとも部分的に基づいて、前記PDCCHが前記データ通信を含むことを識別するステップと
を含む、請求項1に記載の方法。
【請求項６】
第2のサービス構成を有する異なるデータ通信用の異なるDCIフォーマットに関連する第2のアグリゲーションレベルとは異なる前記DCIペイロードを含むDCIフォーマットに対する第1のアグリゲーションレベルを判定するステップであって、前記データ通信を受信するステップが、前記判定された第1のアグリゲーションレベルに少なくとも部分的に基づく、ステップ
をさらに含み、
前記第1のアグリゲーションレベルが、前記DCIフォーマットのペイロードサイズに少なくとも部分的に基づく固定アグリゲーションレベルである、請求項1に記載の方法。
【請求項７】
前記PDCCH内の前記データ通信用のダウンリンクリソースの指示を含むDCIフォーマットとして前記DCIペイロードを含むDCIフォーマットを識別するインジケータビットを受信するステップ
をさらに含む、請求項1に記載の方法。
【請求項８】
ワイヤレス通信のための方法であって、
ダウンリンク送信時間間隔(TTI)の物理ダウンリンク制御チャネル(PDCCH)内でダウンリンク制御情報(DCI)ペイロードを送信するステップと、
前記DCIペイロード内で超低レイテンシ(ULL)または超高信頼低レイテンシ通信(URLLC)サービス用の第1のサービス構成を有するデータ通信を前記PDCCH内で送信するステップであって、前記DCIペイロードが、前記データ通信が前記PDCCH内に含まれることを指示する、ステップと
を含む、方法。
【請求項９】
前記PDCCH内の前記データ通信の送信に少なくとも部分的に基づいて、ハイブリッド自動再送要求(HARQ)フィードバックを受信するステップであって、HARQプロセス識別子(ID)および冗長バージョン(RV)が、前記ダウンリンクTTIのインデックスに関連付けられる、ステップ
をさらに含む、請求項8に記載の方法。
【請求項１０】
前記DCIペイロードを送信する前記ステップが、
前記DCIペイロードを含むDCIフォーマットに対応するユーザ機器(UE)固有の無線ネットワーク一時識別子(RNTI)を判定するステップであって、前記UE固有のRNTIが、第2のサービス構成を有する異なるデータ通信用の異なるDCIフォーマットに関連する第2のRNTIとは異なる、ステップと、
UE固有の探索空間内で前記DCIペイロードを送信するステップと
を含み、
前記第2のサービス構成を有する前記異なるデータ通信が、前記第1のサービス構成に関連するしきい値レベルを超える遅延許容差を有するデータ通信を含む、請求項8に記載の方法。
【請求項１１】
前記DCIペイロードを送信する前記ステップが、
第2のサービス構成を有する異なるデータ通信用の異なるDCIフォーマットに関連する第2の誤り検査符号化長とは異なる前記DCIペイロードを含むDCIフォーマットに対する第1の誤り検査符号化長を判定するステップ
を含み、
前記方法が、前記判定された第1の誤り検査符号化長に少なくとも部分的に基づいて、前記DCIフォーマットを符号化するステップをさらに含む
請求項8に記載の方法。
【請求項１２】
第2のサービス構成を有する異なるデータ通信用の異なるDCIフォーマットに関連する第2のアグリゲーションレベルとは異なる前記DCIペイロードを含むDCIフォーマットに対する第1のアグリゲーションレベルを判定するステップであって、前記データ通信が、前記判定された第1のアグリゲーションレベルに少なくとも部分的に基づいて送信される、ステップ
をさらに含み、
前記第1のアグリゲーションレベルが、前記DCIフォーマットのペイロードサイズに少なくとも部分的に基づく固定アグリゲーションレベルである、請求項8に記載の方法。
【請求項１３】
前記PDCCH内の前記データ通信用のダウンリンクリソースの指示を含むDCIフォーマットとして前記DCIペイロードを含むDCIフォーマットを識別するインジケータビットを送信するステップ
をさらに含む、請求項8に記載の方法。
【請求項１４】
ワイヤレス通信のための装置であって
ダウンリンク送信時間間隔(TTI)の物理ダウンリンク制御チャネル(PDCCH)を受信するための手段と、
前記PDCCHのダウンリンク制御情報(DCI)ペイロードを介して、前記PDCCHが超低レイテンシ(ULL)または超高信頼低レイテンシ通信(URLLC)サービス用の第1のサービス構成を有するデータ通信を含むことを識別するための手段と、
前記DCIペイロードのコンテンツ内で前記データ通信を受信するための手段と
を含む、装置。
【請求項１５】
ワイヤレス通信のための装置であって
ダウンリンク送信時間間隔(TTI)の物理ダウンリンク制御チャネル(PDCCH)内でダウンリンク制御情報(DCI)ペイロードを送信するための手段と、
前記DCIペイロード内で超低レイテンシ(ULL)または超高信頼低レイテンシ通信(URLLC)サービス用の第1のサービス構成を有するデータ通信を前記PDCCH内で送信するための手段であって、前記DCIペイロードが、前記データ通信が前記PDCCH内に含まれることを指示する、手段と
を含む、装置。